(57)【要約】【課題】信号を伝送する伝送路の長さが装置間で異なる場合に同一の倍率でオーバーサンプリングしても検出エラーの発生を抑制することができる信号伝送装置、画像形成装置及び受信回路を提供する。【解決手段】信号伝送装置は、周波数Ｆｓの信号を送信するコントローラ基板２６０と、コントローラ基板２６０から電力分岐線１２１を介して送信された信号を周波数Ｆｓのｎ倍（ｎ：１以上の整数）の周波数ｎＦｓでサンプリングして受信するＬＥＤ基板２６１とを備え、コントローラ基板２６０は、電力分岐線１２１の長さに応じて異なる駆動周波数Ｆｓの信号を送信し、ＬＥＤ基板２６１は、電力分岐線１２１の長さに応じて異なる周波数ｎＦｓで信号をサンプリングする。【選択図】図２
2018046483.tif 000002
【特許請求の範囲】
【請求項１】
周波数Ｆｓの信号を送信する送信回路と、
前記送信回路から伝送路を介して送信された前記信号を前記周波数Ｆｓのｎ倍（ｎ：１以上の整数）の周波数ｎＦｓでサンプリングして受信する受信回路と、を備え、
前記送信回路は、前記伝送路の長さに応じて異なる前記周波数Ｆｓの信号を送信し、
前記受信回路は、前記伝送路の長さに応じて異なる前記周波数ｎＦｓで前記信号をサンプリングする、
信号伝送装置。
【請求項２】
前記伝送路は、差動伝送路である、
請求項１に記載の信号伝送装置。
【請求項３】
前記伝送路は、電力線に前記信号を重畳させて伝送する、
請求項１又は２に記載の信号伝送装置。
【請求項４】
周波数Ｆｓの第１の信号を送信する第１の送信部と、前記周波数Ｆｓとは異なる周波数の第２の信号を送信する第２の送信部とを有する送信回路と、
前記送信回路の前記第１の送信部から第１の伝送路を介して送信された前記第１の信号をサンプリングして受信する第１の受信部と、前記送信回路の前記第２の送信部から第２の伝送路を介して送信された前記第２の信号からクロック信号を生成して前記第１の受信部に出力する第２の受信部とを有する受信回路とを備え、
前記送信回路の前記第１の送信部は、前記第１の伝送路の長さに応じて異なる前記周波数Ｆｓの第１の信号を送信し、
前記受信回路の前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記第１の信号をサンプリングする、
信号伝送装置。
【請求項５】
前記送信回路の前記第２の送信部は、前記第２の信号に選択情報を含ませて送信し、
前記受信回路の前記第２の受信部は、前記第２の信号から前記クロック信号及び前記選択情報を抽出し、抽出した前記クロック信号から周波数が異なる複数のクロック信号を生成するとともに、抽出した前記選択情報に基づいて前記複数のクロック信号のうち選択した前記周波数ｎＦｓのクロック信号を前記第１の受信部に出力する、
請求項４に記載の信号伝送装置。
【請求項６】
周波数Ｆｓの制御信号を送信する第１の送信部と、前記周波数Ｆｓとは異なる周波数の画像データを送信する第２の送信部とを有するコントロール基板と、
前記コントロール基板の前記第１の送信部から第１の伝送路を介して送信された前記制御信号をサンプリングして受信する第１の受信部と、前記コントロール基板の前記第２の送信部から第２の伝送路を介して送信された前記画像データからクロック信号を生成して前記第１の受信部に出力する第２の受信部とを有し、前記画像データに基づいて露光装置を駆動する駆動基板とを備え、
前記コントロール基板の前記第１の送信部は、前記第１の伝送路の長さに応じて異なる前記周波数Ｆｓの制御信号を送信し、
前記駆動基板の前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記制御信号をサンプリングする、
画像形成装置。
【請求項７】
伝送路を介して送信された周波数Ｆｓの信号を前記周波数Ｆｓのｎ倍（ｎ：１以上の整数）の周波数ｎＦｓでサンプリングして受信する受信部を備え、
前記受信部は、前記伝送路の長さに応じて異なる前記周波数ｎＦｓで前記信号をサンプリングする、
受信回路。
【請求項８】
第１の伝送路を介して送信された周波数Ｆｓの第１の信号を、クロック信号に同期してサンプリングして受信する第１の受信部と、
第２の伝送路を介して送信された前記周波数Ｆｓとは異なる周波数の第２の信号を受信し、前記第２の信号からクロック信号を生成して前記第１の受信部に出力する第２の受信部とを備え、
前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記第１の信号をサンプリングする、
受信回路。
【発明の詳細な説明】
【技術分野】
【０００１】
本発明は、信号伝送装置、画像形成装置及び受信回路に関する。
【背景技術】
【０００２】
従来、ユニット間で通信を行う場合、各ユニットの制御クロックの周波数偏差をなくすため、通信データに重畳されたクロック信号を分離し、そのクロック信号に同期してデータをサンプリングするデータ再生回路が提案されている（例えば、特許文献１参照）。
【０００３】
特許文献１に記載されたデータ再生回路は、シリアルデータをサンプリングしてデータを再生するデータ再生回路であって、シリアル通信で受信したシリアルデータを前記シリアルデータの通信レートより高い周波数のクロックでサンプリングし、ｎ（ｎは２以上の整数）ビットのパラレルデータと、前記クロックの１／ｎの周波数のクロックとを出力するオーバーサンプリング部と、前記パラレルデータのエッジ位置を検出し、エッジデータとして出力するエッジ検出部と、前記オーバーサンプリング部が出力する次回の前記パラレルデータのエッジ位置を位相比較部が出力する位相制御信号から予測し、エッジ予測位置データとして出力すると共に、前記エッジ予測位置データから半位相ずらしたデータをサンプリング位置データとして出力するエッジ位置計算部と、前記エッジ検出部が出力した前記エッジデータと、前記エッジ位置計算部が出力した前記エッジ予測位置データとを比較し、位相制御信号を出力する位相比較部と、前記オーバーサンプリング部が出力するパラレルデータから前記エッジ位置計算部が出力する前記サンプリング位置データによりデータの抽出を行い、リカバリデータとして、該データの有効性を示すデータイネーブルと共に出力する前記データサンプリング部と、を有する。
【先行技術文献】
【特許文献】
【０００４】
【特許文献１】特開２０１６−７２７７２号公報
【発明の概要】
【発明が解決しようとする課題】
【０００５】
信号を伝送する伝送路が長くなると、反射により信号波形に生じる欠損部分が大きくなり、そのために信号成分が減少し、オーバーサンプリングしても検出エラーになる場合がある。
【０００６】
本発明の目的は、信号を伝送する伝送路の長さが装置間で異なる場合に同一の倍率でオーバーサンプリングしても検出エラーの発生を抑制することができる信号伝送装置、画像形成装置及び受信回路を提供することにある。
【課題を解決するための手段】
【０００７】
［１］周波数Ｆｓの信号を送信する送信回路と、
前記送信回路から伝送路を介して送信された前記信号を前記周波数Ｆｓのｎ倍（ｎ：１以上の整数）の周波数ｎＦｓでサンプリングして受信する受信回路と、を備え、
前記送信回路は、前記伝送路の長さに応じて異なる前記周波数Ｆｓの信号を送信し、
前記受信回路は、前記伝送路の長さに応じて異なる前記周波数ｎＦｓで前記信号をサンプリングする、
信号伝送装置。
［２］前記伝送路は、差動伝送路である、前記［１］に記載の信号伝送装置。
［３］前記伝送路は、電力線に前記信号を重畳させて伝送する、前記［１］又は［２］に記載の信号伝送装置。
［４］周波数Ｆｓの第１の信号を送信する第１の送信部と、前記周波数Ｆｓとは異なる周波数の第２の信号を送信する第２の送信部とを有する送信回路と、
前記送信回路の前記第１の送信部から第１の伝送路を介して送信された前記第１の信号をサンプリングして受信する第１の受信部と、前記送信回路の前記第２の送信部から第２の伝送路を介して送信された前記第２の信号からクロック信号を生成して前記第１の受信部に出力する第２の受信部とを有する受信回路とを備え、
前記送信回路の前記第１の送信部は、前記第１の伝送路の長さに応じて異なる前記周波数Ｆｓの第１の信号を送信し、
前記受信回路の前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記第１の信号をサンプリングする、信号伝送装置。
［５］前記送信回路の第２の送信部は、前記第２の信号に選択情報を含ませて送信し、
前記受信回路の前記第２の受信部は、前記第２の信号から前記クロック信号及び前記選択情報を抽出し、抽出した前記クロック信号から周波数が異なる複数のクロック信号を生成するとともに、抽出した前記選択情報に基づいて前記複数のクロック信号のうち選択した前記周波数ｎＦｓのクロック信号を前記第１の受信部に出力する、前記［４］に記載の信号伝送装置。
［６］周波数Ｆｓの制御信号を送信する第１の送信部と、前記周波数Ｆｓとは異なる周波数の画像データを送信する第２の送信部とを有するコントロール基板と、
前記コントロール基板の前記第１の送信部から第１の伝送路を介して送信された前記制御信号をサンプリングして受信する第１の受信部と、前記コントロール基板の前記第２の送信部から第２の伝送路を介して送信された前記画像データからクロック信号を生成して前記第１の受信部に出力する第２の受信部とを有し、前記画像データに基づいて露光装置を駆動する駆動基板とを備え、
前記コントロール基板の前記第１の送信部は、前記第１の伝送路の長さに応じて異なる前記周波数Ｆｓの制御信号を送信し、
前記駆動基板の前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記制御信号をサンプリングする、画像形成装置。
［７］伝送路を介して送信された周波数Ｆｓの信号を前記周波数Ｆｓのｎ倍（ｎ：１以上の整数）の周波数ｎＦｓでサンプリングして受信する受信部を備え、
前記受信部は、前記伝送路の長さに応じて異なる前記周波数ｎＦｓで前記信号をサンプリングする、受信回路。
［８］第１の伝送路を介して送信された周波数Ｆｓの第１の信号をサンプリングして受信する第１の受信部と、
第２の伝送路を介して送信された前記周波数Ｆｓとは異なる周波数の第２の信号を受信し、前記第２の信号からクロック信号を生成して前記第１の受信部に出力する第２の受信部とを備え、
前記第１の受信部は、前記第２の受信部から出力された前記クロック信号から前記第１の伝送路の長さに応じて異なる前記周波数Ｆｓのｎ倍（ｎ：１以上の整数）の周波数ｎＦｓを生成し、前記周波数ｎＦｓで前記第１の信号をサンプリングする、受信回路。
【発明の効果】
【０００８】
請求項１、７に係る発明によれば、信号を伝送する伝送路の長さが装置間で異なる場合に同一の倍率でオーバーサンプリングしても検出エラーの発生を抑制することができる。
請求項２に係る発明によれば、単線で信号を伝送する場合と比較してノイズの少ない信号を伝送することができる。
請求項３に係る発明によれば、電力とともに信号を伝送することができる。
請求項４、８に係る発明によれば、第２の信号に含まれるクロック信号からサンプリング周波数を生成することができる。
請求項５に係る発明によれば、選択情報を変えることでサンプリング周波数を変更することができる。
請求項６に係る発明によれば、制御信号を伝送する伝送路の長さが異なる場合でも同一の倍率でオーバーサンプリングしても検出エラーの発生を抑制することができる。
【図面の簡単な説明】
【０００９】
【図１】図１は、本発明の第１の実施の形態に係る画像形成装置の概略の構成例を示す図である。
【図２】図２は、第１の実施の形態に係る画像形成制御部の概略の構成例を示す図である。
【図３】図３は、ＰＬＣマスター部の概略の構成を示すブロック図である。
【図４】図４（ａ）、（ｂ）は、ＰＬＣマスター部が生成するパケットのフォーマットの一例を説明するための図である。
【図５】図５は、電力分岐線を介して送信される制御信号の一例を示し、（ａ）は、電力分岐線の長さが比較的短い場合の信号波形を示す図、（ｂ）は、電力分岐線の長さが比較的長い場合の信号波形を示す図、（ｃ）は、（ｂ）の場合において駆動周波数Ｆｓ及びサンプリング周波数ｎＦｓを変更した場合の信号波形を示す図である。
【図６】図６は、本発明の第２の実施の形態に係る画像形成制御部の概略の構成例を示す図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［第１の実施の形態］
図１は、本発明の第１の実施の形態に係る画像形成装置の概略の構成例を示す図である。この画像形成装置１は、原稿から原稿画像を読み取る図示しない画像読取部と、画像読取部によって読み取られた原稿画像を用紙Ｐに印刷する画像形成部２と、ピックアップロール３１によって取り出した用紙Ｐを画像形成部２に供給するトレイ部３とを備える。用紙Ｐは記録媒体の一例である。
【００１２】
画像形成部２は、電子写真方式によって原稿画像を用紙Ｐに印刷するものであり、循環移動する無端状の中間転写ベルト２０と、中間転写ベルト２０にイエロー（Ｙ），マゼンダ（Ｍ），シアン（Ｃ），ブラック（Ｋ）の各色のトナー画像を一次転写する第１乃至第４の画像形成ユニット２１Ｙ、２１Ｍ、２１Ｃ、２１Ｋと、画像データに基づいて変調された光ビームを第１乃至第４の画像形成ユニット２１Ｙ、２１Ｍ、２１Ｃ、２１Ｋの感光体ドラム２１０を露光することにより感光体ドラム２１０上に静電潜像を形成するＬＥＤプリントヘッド（ＬＰＨ）２２とを備えている。ＬＰＨ２２は、露光装置の一例である。なお、露光装置として、ＬＰＨの他に、レーザダイオード（ＬＤ）を光源とする走査書き込み装置や、ＬＤを主走査方向に沿って複数個配列したＬＤアレイなどを用いてもよい。
【００１３】
ＬＰＨ２２は、ＬＥＤ（発光ダイオード）が主走査方向に沿って複数個配列されたＬＥＤアレイと、ＬＥＤアレイとＬＥＤ駆動回路が実装されたＬＥＤ基板２６１Ｙ、２６１Ｍ、２６１Ｃ、２６１Ｋ（これらを総称するときは「ＬＥＤ基板２６１」という。）と、ＬＥＤアレイから出射される光ビームを感光体ドラム２１０上に結像させるレンズアレイとを備える。
【００１４】
各画像形成ユニット２１Ｙ、２１Ｍ、２１Ｃ、２１Ｋは、感光体ドラム２１０と、感光体ドラム２１０の表面を一様に帯電する帯電器と、感光体ドラム２１０の表面にＬＰＨ２２によって形成された静電潜像を各色のトナーで現像してトナー画像を形成する現像器と、中間転写ベルト２０を感光体ドラム２１０に押し付ける一次転写ローラとを有している。
【００１５】
中間転写ベルト２０は、複数のローラ２３Ａ、２３Ｂ、２３Ｃに張設され、いずれかのローラ２３Ａ、２３Ｂ、２３Ｃからのトルクによって循環移動する。
【００１６】
また、画像形成部２は、中間転写ベルト２０を挟んでローラ２３Ｃと対向する位置に配置され、中間転写ベルト２０上に形成されたトナー画像をトレイ部３から供給された用紙Ｐに二次転写する二次転写ローラ２４と、用紙Ｐに転写されたトナー画像を用紙Ｐ上に定着する定着ユニット２５とを備えている。
【００１７】
また、画像形成部２は、画像形成動作を制御する画像形成制御部２６を備える。画像形成制御部２６は、コントローラ基板２６０と、複数のＬＥＤ基板２６１とを備える。コントローラ基板２６０は、送信回路の一例である。ＬＥＤ基板２６１は、受信回路の一例である。コントローラ基板２６０及びＬＥＤ基板２６１は、信号伝送装置の一例である。
【００１８】
（画像形成制御部の構成）
図２は、第１の実施の形態に係る画像形成制御部２６の概略の構成例を示す図である。図２に示すように、コントローラ基板２６０とＬＥＤ基板２６１とは、差動伝送路としての一対の電力分岐線１２１と、差動伝送路としての一対の第２の線路１６とによって接続されている。図２中、１２２はグランド線、１９、２７はコネクタである。一対の電力分岐線１２１は、第１の伝送路の一例である。一対の第２の線路１６は、第２の伝送路の一例である。
【００１９】
（コントローラ基板の構成）
コントローラ基板２６０には、ＰＬＣ（Power Line Communication）技術によって通信を行うＰＬＣマスター部１０と、Ｙ、Ｍ、Ｃ、Ｋの各色ごとに設けられ、Ｖ−ｂｙ−Ｏｎｅ（登録商標）技術によって通信を行う複数のＶ−ｂｙ−Ｏｎｅ送信部１１と、電源（例えば１２Ｖ、０．２４Ａ）が供給される電力供給部１２とを備える。ＰＬＣマスター部１０は、第１の送信部の一例である。Ｖ−ｂｙ−Ｏｎｅ送信部１１は、第２の送信部の一例である。
【００２０】
電力供給部１２は、差動信号が電力供給部１２側に伝送されないようにするため、コイルＬを介して第１の線路１４に接続されている。第１の線路１４には、直流成分をカットするためのコンデンサＣが挿入されている。
【００２１】
差動伝送路１３は、一対の第１の線路１４と、一対の第１の線路１４に一対の電力供給部１２からの電力線が結合するとともに、一対の第１の線路１４を分岐させる結合部１５と、結合部１５によって分岐された複数対の電力分岐線１２１とを備える。
【００２２】
結合部１５は、電力供給部１２からの電力線が差動伝送路１３と結合する部分であり、第１の線路１４が複数対の電力分岐線１２１に分岐される部分でもある。
【００２３】
ＰＬＣマスター部１０は、例えば、特定用途向け集積回路（ＡＳＩＣ：Application Specific Integrated Circuit）や再構成可能回路（ＦＰＧＡ：Field Programmable Gate Array）によって構成される。ＰＬＣマスター部１０は、低速（例えば１０ＭＨｚ〜２５ＭＨｚ）の駆動周波数Ｆｓで生成したデジタルの制御信号（例えば補正信号）を電力供給部１２からの電力線に重畳させ、電力分岐線１２１を使い、各ＬＥＤ基板２６１Ｙ、２６１Ｍ、２６１Ｃ、２６１Ｋに送信する。また、ＰＬＣマスター部１０は、電力分岐線１２１の長さに応じて異なる駆動周波数Ｆｓの制御信号をパケット化してシリアル送信する。但し、コントローラ基板２６０から個々のＬＥＤ基板２６１への電力分岐線１２１の長さは多少変わるが、制御信号の駆動周波数Ｆｓは同一としている。駆動周波数Ｆｓは、画像形成装置１間で電力分岐線１２１の長さが長くなるに従って小さくなる。このため、サンプリング周波数ｎＦｓも画像形成装置１間で電力分岐線１２１の長さが長くなるに従って小さくなる。制御信号は、第１の信号の一例である。
【００２４】
Ｖ−ｂｙ−Ｏｎｅ送信部１１は、図示しない画像読取部から送信された画像データに基づいてＹ、Ｍ、Ｃ、Ｋの各色成分の画像データを生成し、生成した画像データにクロック信号、ＩＤ信号等を重畳させて駆動周波数Ｆｓとは異なる周波数、例えば高速の周波数Ｆ（例えば約１ＧＨｚ）で差動信号として一対の第２の線路１６を介して対応するＬＥＤ基板２６１にシリアル送信する。一対の第２の線路１６には、直流成分をカットするためのコンデンサＣが挿入されている。画像データは、第２の信号の一例である。
【００２５】
（ＬＥＤ基板）
ＬＥＤ基板２６１Ｙ、２６１Ｍ、２６１Ｃ、２６１Ｋは、コントローラ基板２６０からのＹ、Ｍ、Ｃ又はＫの色成分の画像データに基づいてＬＥＤ駆動信号を生成し、ＬＥＤ駆動信号でＬＰＨ２２を駆動する。ＬＥＤ基板２６１は、制御信号等のデータが書き込まれるＥＰＲＯＭ４０と、ＰＬＣ技術によって通信を行うＰＬＣスレーブ部２９と、Ｖ−ｂｙ−Ｏｎｅ技術によって通信を行うＶ−ｂｙ−Ｏｎｅ受信部４１とを備える。ＬＥＤ基板２６１には、コントローラ基板２６０から制御信号が電力分岐線１２１を介して一対の第１の線路４２に送信される。ＰＬＣスレーブ部２９は、第１の受信部の一例である。Ｖ−ｂｙ−Ｏｎｅ受信部４１は、第２の受信部の一例である。
【００２６】
Ｖ−ｂｙ−Ｏｎｅ受信部４１は、Ｖ−ｂｙ−Ｏｎｅ送信部１１から送信された画像データを含むシリアルデータをパラレルデータに変換し、画像データ、クロック信号及びＩＤ信号を抽出する。Ｖ−ｂｙ−Ｏｎｅ受信部４１は、抽出したクロック信号及びＩＤ信号をＰＬＣスレーブ部２９に出力する。ＰＬＣスレーブ部２９に出力するクロック信号は、例えば、駆動周波数Ｆｓ（例えば、２５ＭＨｚ）、又は駆動周波数Ｆｓ（例えば、１０ＭＨｚ）のｎ倍（例えば４倍）、すなわちサンプリング周波数ｎＦｓ（例えば、４０ＭＨｚ）で送信される。なお、他の周波数のクロック信号をＰＬＣスレーブ部２９に出力してもよい。
【００２７】
ＰＬＣスレーブ部２９は、Ｖ−ｂｙ−Ｏｎｅ受信部４１からＩＤ信号、クロック信号が出力される。ＰＬＣスレーブ部２９は、ＰＬＣマスター部１０から送信された駆動周波数Ｆｓの制御信号を、Ｖ−ｂｙ−Ｏｎｅ受信部４１から送信されたクロック信号から生成したサンプリング周波数ｎＦｓ（ｎ：１以上の整数）でサンプリンプする。例えば、Ｖ−ｂｙ−Ｏｎｅ受信部４１から駆動周波数Ｆｓのクロック信号が出力され場合、その駆動周波数Ｆｓをｎ倍したサンプリング周波数ｎＦｓを生成する。また、Ｖ−ｂｙ−Ｏｎｅ受信部４１からサンプリング周波数ｎＦｓのクロック信号が出力された場合、そのクロック信号からサンプリング周波数ｎＦｓを生成する。すなわち、ＰＬＣスレーブ部２９は、電力分岐線１２１の長さに応じて異なるサンプリング周波数ｎＦｓで制御信号に対してｎ倍（例えば４倍）のオーバーサンプリングを行う。ＰＬＣスレーブ部２９は、４倍のオーバーサンプリングの結果、３つ以上がハイならば制御信号は「１」と判定し、それ以外の場合は「０」と判定する。なお、オーバーサンプリングの倍率は、４倍に限られず他の倍率でもよい。
【００２８】
（ＰＬＣマスター部の構成）
図３は、ＰＬＣマスター部１０の概略の構成を示すブロック図である。メモリ空間１００と、パケット生成部１０１と、ＢＰ（Bi-Phase）符号によるＢＰ符号化部１０２と、パラレルデータをシリアルデータに変換するパラレル／シリアル変換部１０３と、双方向バッファ１０４と、ビットロック１０５と、ＢＰ復号部１０６と、パケット解釈部１０７とを備える。なお、ＰＬＣスレーブ部２９もＰＬＣマスター部１０に対応した構成を有している。
【００２９】
（パケットフォーマット）
図４（ａ）、（ｂ）は、ＰＬＣマスター部１０が生成するパケットフォーマットの一例を説明するための図である。ＰＬＣマスター部１０が送受信するパケット１１０は、図４（ａ）に示すように、ヘッダ(1)、ヘッダ(2)、ペイロード、ＣＲＣから構成されている。ヘッダ(1)は、ＣＭＤ、スレーブＩＤ、Lengthから構成され、またヘッダ（２）は、データのアドレスから構成される。パケット１１０は、ライト要求の場合は、ヘッダ(1)、ヘッダ（2)、ペイロード、ＣＲＣから構成され、リード要求の場合は、ヘッダ(1)、ヘッダ（2)、ＣＲＣから構成され、リード応答の場合は、ヘッダ(1)、ペイロード、ＣＲＣから構成される。図４（ｂ）にパケットの一例を示す。
【００３０】
（第１の実施の形態の動作）
図５は、電力分岐線１２１を送信される制御信号の一例を示す。（ａ）は、電力分岐線１２１の長さが比較的短い場合の信号波形を示し、（ｂ）は、電力分岐線１２１の長さが比較的長い場合の信号波形を示し、（ｃ）は、（ｂ）の場合において駆動周波数Ｆｓ及びサンプリング周波数ｎＦｓを変更した場合の信号波形を示す。
【００３１】
電力分岐線１２１の長さが比較的短い場合は、図５（ａ）に示すように、制御信号の信号波形５０に現れる反射による欠損部５１ａは小さい。このため、周期ｔａで４倍のオーバーサンプリングを行うと、４つのサンプリング点Ａ１〜Ａ４のうち、最初のサンプリング点Ａ１では信号レベルが閾値Ｔｈよりも小さいため、ロー（Ｌ）となり、他の３つのサンプリング点Ａ２、Ａ３、Ａ４では信号レベルが閾値Ｔｈ以上であるのでハイ（Ｈ）となり、制御信号は「１」と正しく判定することができる。
【００３２】
電力分岐線１２１の長さが比較的長い場合は、図５（ｂ）に示すように、制御信号の信号波形５０に現れる反射による欠損部５１ｂは大きい。このため、周期ｔｂで４倍のオーバーサンプリングを行うと、４つのサンプリング点Ｂ１〜Ｂ４のうち、前半の２つサンプリング点Ｂ１、Ｂ２では信号レベルが閾値Ｔｈよりも小さいため、ロー（Ｌ）となり、後半の２つのサンプリング点Ｂ３、Ｂ４では信号レベルが閾値Ｔｈ以上であるため、ハイ（Ｈ）となり、制御信号は「０」と誤判定になる。
【００３３】
そこで、本実施の形態では、電力分岐線１２１の長さが比較的長い場合は、図５（ｃ）に示すように、サンプリングの周期ｔｃを長くして４倍のオーバーサンプリングを行うと、４つのサンプリング点Ｃ１〜Ｃ４のうち、最初のサンプリング点Ｃ１のみがロー（Ｌ）となり、残りの３つのサンプリング点Ｃ２、Ｃ３、Ｃ４ではハイ（Ｈ）となり、制御信号は「１」と正しく判定することができる。
【００３４】
［第２の実施の形態］
図６は、本発明の第２の実施の形態に係る画像形成制御部の概略の構成例を示す図である。本実施の形態は、第１の実施の形態とは、Ｖ−ｂｙ−Ｏｎｅ送信部１１の機能と、ＬＥＤ基板２６１に選択部４３を付加して点が異なる。以下、第１の実施の形態と異なる点を中心に説明する。
【００３５】
本実施の形態のＶ−ｂｙ−Ｏｎｅ送信部１１は、画像データにＩＤ信号、クロック信号、及びクロック信号を選択する選択情報を含ませてＬＥＤ基板２６１に送信する。
【００３６】
Ｖ−ｂｙ−Ｏｎｅ受信部４１は、Ｖ−ｂｙ−Ｏｎｅ送信部１１から送信された画像データを含むシリアルデータをパラレルデータに変換し、画像データ、クロック信号、ＩＤ信号及び選択情報を抽出する。Ｖ−ｂｙ−Ｏｎｅ受信部４１は、クロック信号及び選択情報を選択部４３に出力するとともに、ＩＤ信号をＰＬＣスレーブ部２９に出力する。
【００３７】
選択部４３は、出力されたクロック信号から周波数が異なる複数のクロック信号を生成するとともに、出力された選択情報に基づいて複数のクロック信号のうち選択した周波数ｎＦｓのクロック信号をＰＬＣスレーブ部２９に出力する。Ｖ−ｂｙ−Ｏｎｅ受信部４１及び選択部４３は、第２の受信部の一例である。
【００３８】
なお、本発明の実施の形態は、上記実施の形態に限定されるものではなく、本発明の要旨を変更しない範囲内で種々に変形、実施が可能である。
【符号の説明】
【００３９】
１…画像形成装置、２…画像形成部、３…トレイ部、１０…ＰＬＣマスター部、
１１…Ｖ−ｂｙ−Ｏｎｅ送信部、１２…電力供給部、１３…差動伝送路、
１４…第１の線路、１５…結合部、１６…第２の線路、１９…コネクタ、
２０…中間転写ベルト、２１Ｙ、２１Ｍ、２１Ｃ、２１Ｋ…画像形成ユニット、
２３Ａ、２３Ｂ、２３Ｃ…ローラ、２４…二次転写ローラ、２５…定着ユニット、
２６…画像形成制御部、２７…コネクタ、２９…ＰＬＣスレーブ部、
３１…ピックアップロール、４１…Ｖ−ｂｙ−Ｏｎｅ受信部、
４２…第１の線路、４３…選択部、
５０…信号波形、５１ａ、５１ｂ…欠損部、
１００…メモリ空間、１０１…パケット生成部、１０２…符号化部、
１０３…シリアル変換部、１０４…双方向バッファ、１０５…ビットロック、
１０６…復号部、１０７…パケット解釈部、１１０…パケット、
１２１…電力分岐線、２１０…感光体ドラム、２６０…コントローラ基板、
２６１、２６１Ｙ、２６１Ｍ、２６１Ｃ、２６１Ｋ…ＬＥＤ基板、
Ｐ…用紙
【図１】
2018046483.tif 000003
【図２】
2018046483.tif 000004
【図３】
2018046483.tif 000005
【図４】
2018046483.tif 000006
【図５】
2018046483.tif 000007
【図６】
2018046483.tif 000008